【手続補正書】
【提出日】平成19年12月18日(2007.12.18)
【手続補正１】
【補正対象書類名】明細書
【補正対象項目名】特許請求の範囲
【補正方法】変更
【補正の内容】
【特許請求の範囲】
【請求項１】スピーカ振動板に固着された同心円筒状のボイスコイルと前記ボイスコイルと磁気的に係合する磁気回路からなる音響装置において、前記ボイスコイルと磁気的に係合するように設けられたヨークと永久磁石による磁気回路の外周部に多極永久磁石回転子を、ほぼ同一平面状に固定子に対向して配設して、該回転子上に回転によって生じる遠心力によって振動加震力が大きく発生するように錘を搭載したことを特徴とする多機能型音響装置。
【請求項２】スピーカ振動板に固着された同心円筒状のボイスコイルと前記ボイスコイルと磁気的に係合する磁気回路からなる音響装置において、フレームの中心部に前記ボイスコイルと磁気的に係合する厚み方向に単磁極に着磁された円柱状のスピーカ磁石と該スピーカ磁石上に外周部が前記ボイスコイルと係合する空隙の内周部を構成する磁性材料からなる円柱状のトップヨークを配設して、磁性材料からなるカップ状のスピーカヨークの中央部に固着し、前記カップ状ヨークの外周部に軸受けを介して多極永久磁石回転子を前記フレームの外周部に設けた前記固定子に対向して配設し、該回転子上に回転によって生じる遠心力によって振動加震力が大きく発生するように錘を偏心させて片錘となるように配設したことを特徴とする請求項１に記載の多機能型音響装置。
【請求項３】前記多機能型音響装置の回転子は、円筒状の回転子ヨークの外周に多極着磁された円筒状永久磁石を装着して形成し、前記スピーカヨークとジャーナル軸受けを介して前記固定子に対して回転自在として構成したことを特徴とする請求項１または請求項２記載の多機能型音響装置。
【請求項４】前記多機能型音響装置の回転子は、前記回転子永久磁石の上下面のいずれかに、比重の大きい部材を、回転によって生じる遠心力によって振動加震力が大きく発生するように片錘となるように前記回転子の中心軸に対して偏心させて配設したことを特徴とする請求項１乃至請求項３のいずれかに記載の多機能型音響装置。
【請求項５】前記多機能型音響装置の回転子の軸受けは、前記スピーカヨーク外周部と前記回転子ヨークの内周部との間に樹脂等で形成された複数個のリテーナで望ましくは複数個の非磁性のセラミックボールを挟持して構成したことを特徴とする請求項１乃至請求項４のいずれかに記載の多機能型音響装置。
【請求項６】前記多機能型音響装置の回転子の極対数は、少なくとも１以上とすることを特徴とする請求項１乃至請求項５のいずれかに記載の多機能型音響装置。
【請求項７】前記多機能型音響装置の固定子は、円板状の磁性材料からなり内周部を鋸歯状に折り曲げて複数極の固定子磁極を形成した固定子上ヨークと、円板状の磁性材料からなり内周部を鋸歯状に折り曲げて複数極の固定子磁極を形成した固定子下ヨークとで、複数巻回された中空円盤状のマグネットワイヤからなる固定子巻線を、前記固定子上ヨークが形成した磁極と固定子下ヨークが形成した磁極とが相隣れるように配列して挟持して多極固定子としたことを特徴とする請求項１乃至請求項６のいずれかに記載の多機能型音響装置。
【請求項８】前記多機能型音響装置の固定子は、一対の固定子の上下磁極数を前記回転子極数の２倍とすることを特徴とする請求項１乃至請求項７のいずれかに記載の多機能型音響装置。
【請求項９】前記多機能型音響装置の固定子は、一対の円板状の導電材料からなる隈取り板に一対の固定子の上下磁極数の半数を挿入して、多極固定子としたことを特徴とする請求項１乃至請求項８のいずれかに記載の多機能型音響装置。
【請求項１０】前記多機能型音響装置の回転子の駆動回路は、１００Ｈｚ以上の励振信号を受けてバイポーラ駆動回路で駆動することを特徴とする請求項１乃至請求項９のいずれかに記載の多機能型音響装置。
【請求項１１】前記多機能型音響装置の回転子の駆動回路は、励振周波数を連続的または断続的に増加して１００Ｈｚ以上の励振信号で駆動することを特徴とする請求項１乃至請求項１０のいずれかに記載の多機能型音響装置。
【請求項１２】前記多機能型音響装置の駆動回路は、前記スピーカ振動板の広帯域信号による励振と、１００Ｈｚの励振信号を受けてバイポーラ駆動回路で前記回転子を同時駆動することを特徴とする請求項１乃至請求項１１のいずれかに記載の多機能型音響装置。
【手続補正２】
【補正対象書類名】明細書
【補正対象項目名】００１３
【補正方法】変更
【補正の内容】
【００１３】
また、課題を解決するためになされた本発明の多機能型音響装置の請求項４の回転子は、前記回転子永久磁石の上下面のいずれかに、比重の大きい部材を、回転によって生じる遠心力によって振動加震力が大きく発生するように片錘となるように前記回転子の中心軸に対して偏心させて配設したことを特徴とするものである。
【手続補正３】
【補正対象書類名】明細書
【補正対象項目名】００３５
【補正方法】変更
【補正の内容】
【００３５】
このとき、回転子２００の錘２０４の質量をＭ、回転子の中心軸１０６から錘２０４の重心までの距離をＲ、回転子の中心軸１０６からの半径をｒ、回転子２００と回転軸受けとなるスピーカヨーク外周部１０８ａとの摩擦係数をμ、回転子２００の回転数をω［rad/sec]とすると、負荷トルクＴＬは、以下の式で表される。
【手続補正４】
【補正対象書類名】明細書
【補正対象項目名】００３９
【補正方法】変更
【補正の内容】
【００３９】
本発明の多機能型音響装置の実施例では、回転子２００と固定子３００とで構成されるモータを同期モータとしてきたが、他のブラシ付き直流モータやブラシレスモータでもよいことは明らかである。また、簡単のために、回転子永久磁石２０１の極対数ＰをＰ＝４として説明してきたがこれに限定する必要はなく、Ｐ≧１で差支えない。また、本発明の多機能型音響装置の実施例では、固定子３００を、フレーム１１１の内周部に配設しているが、回転子を内周部に、固定子をスピーカヨーク外周部１０８ａに配置する同期モータとすることも可能である。
【手続補正５】
【補正対象書類名】明細書
【補正対象項目名】図面の簡単な説明
【補正方法】変更
【補正の内容】
【図面の簡単な説明】
【図１】本発明の多機能型音響装置の実施例の主要部断面図である。
【図２】図１のＸーＸ線の断面図である。
【図３】本発明の多機能型音響装置の回転子の展開斜視図である。
【図４】本発明の多機能型音響装置の固定子の展開斜視図である。
【図５】本発明の多機能型音響装置の駆動回路の構成図である。
【図６】特開平５−８５１９２号に記載された電磁誘導型変換器の説明図に相当する従来例の断面図である。
【図７】多機能型装置の従来例の断面図である。
【図８】本願出願人による既出願文献・特願２０００−１２１８５２号に記載された説明図に相当する断面図である。
【符号の説明】
１００  発音体
１０１  スピーカ振動板
１０１ａ  ドーム
１０１ｂ  スピーカ振動板外周部
１０２  ボイスコイル
１０３  スピーカ空隙
１０４  トップヨーク
１０４ａ  トップヨーク外周部
１０５  スピーカ磁石
１０６  回転子の中心軸
１０８  スピーカヨーク
１０８ａ  スピーカヨーク外周部
１０８ｂ  スピーカヨーク内周部
１０９ａ  内リテーナ
１０９ｂ  外リテーナ
１０９ｃ  底リテーナ
１１０  音響カバー
１１１  フレーム
１１２ａ  ボイスコイル入力端子
１１２ｂ  ボイスコイル入力端子
１１３ａ、１１３ｂ  セラミックボール
２００  回転子
２０１  回転子永久磁石
２０２  回転子ヨーク
２０２ａ  回転子ヨーク内周部
２０３  モータ空隙
２０４  錘
３００  固定子
３０１  固定子上ヨーク
３０１ａ１、３０１ｂ１、３０１ｃ１、３０１ｄ１  固定子上ヨーク主磁極
３０１ａ２、３０１ｂ２、３０１ｃ２、３０１ｄ２  固定子上ヨーク補磁極
３０２  上隈取り板
３０２ａ、３０２ｂ、３０２ｃ、３０２ｄ  上隈取り環孔
３０３  固定子下ヨーク
３０３ａ１、３０３ｂ１、３０３ｃ１、３０３ｄ１  固定子下ヨーク主磁極
３０３ａ２、３０３ｂ２、３０３ｃ２、３０３ｄ２  固定子下ヨーク補磁極
３０３ｅ  固定子側部
３０４  下隈取り板
３０４ａ、３０４ｂ、３０４ｃ、３０４ｄ  下隈取り環孔
３０５ａ  固定子入力端子
３０５ｂ  固定子入力端子
３０６  固定子巻線
４００  回転子駆動回路
４０１、４０２、４０３、４０４  トランジスタ
４０５  電源電圧
４０６  グランド
４０７  インバータ
４０８  入力端子
４０９  入力接続点
４１０  励振信号
【手続補正６】
【補正対象書類名】図面
【補正対象項目名】図２
【補正方法】変更
【補正の内容】
【図２】
2002186080.tif 000001